(57)【特許請求の範囲】
【請求項１】
吸着剤が収容された一対の吸着筒を有し、一方の吸着筒で気体の除湿を行い、除湿された気体の一部を他方の吸着筒に流してこの他方の吸着筒の吸着剤の再生を行う気体の除湿装置において、
架台と、
この架台上に設けられ上記一対の吸着筒の下端を支持するインレットヘッドと、
上記インレットヘッドに設けられ切換え動作によってこのインレットヘッドに形成された流路から流入する除湿されていない気体を一対の吸着筒のどちらか一方に選択的に供給して除湿すると共に他方の吸着筒の吸着剤を再生した気体を排出可能とする切換え弁と、
上記一対の吸着筒の上端に設けられどちらか一方の吸着筒で除湿された気体を流出する給出路が形成されたアウトレットヘッドと、
上記アウトレットヘッドに着脱自在に設けられどちらか一方の吸着筒で除湿された気体の一部の流量を制御して他方の吸着筒に導くオリフィス部材を具備し、
上記アウトレットヘッドには、一方の吸着筒に連通する第１の取付孔と、他方の吸着筒に連通する第２の取付孔とが形成され、各取付孔には２つで対をなす継手の一端部がそれぞれ着脱可能に取り付けられ、これら一対の継手の他端部に上記オリフィス部材の一端部と他端部とがそれぞれ着脱可能に設けられていることを特徴とする気体の除湿装置。
【発明の詳細な説明】
【０００１】
【発明の属する技術分野】
本発明は、吸着剤が収容された吸着筒に気体を流してその気体に含まれた湿気を取り除く除湿装置に関する。
【０００２】
【従来の技術】
従来、気体の除湿装置においては、除湿された空気（気体）を連続して供給するため、活性アルミナ、シリカゲル、合成ゼオライトあるいは塩化リチウムなどの吸着剤を充填した吸着筒が２基用意される。
【０００３】
一方の吸着筒に湿った圧縮空気を導いて吸着乾燥を行い、所定の供給先に供給する。同時に、得られた乾燥空気の一部を他方の吸着筒に導き、前段階で吸湿して吸湿能力の低下した吸着剤から湿分を除去し、さらにこの湿分を吸着筒からパージする再生をなす。この再生工程では、最大で得られた乾燥空気の約２０％もの量を使用し、大気に放出していた。
【０００４】
そして、一方の吸着筒における圧縮空気の除湿と、他方の吸着筒における吸着剤の再生は同時に並行して行われるとともに、所定時間経過後に両吸着筒間に設けられた切換え弁を切換え、各吸着筒における除湿と再生とを変換することで、連続的に乾燥空気を供給できるようにしている。
【０００５】
前段階で吸湿して吸湿能力の低下した吸着剤を再生する場合、乾燥空気の使用圧力によって再生のために使用する乾燥空気（パージ空気）量も異なってくる。つまり、乾燥空気の使用圧力が低いときには、高い場合に比べてたくさんの乾燥空気を吸着剤を再生する吸着筒に流さなければならなくなる。
【０００６】
そのため、使用する乾燥空気の圧力に応じて吸着剤を再生するための乾燥空気の供給量を調整しなければならないということがある。再生する吸着筒に流す再生用の乾燥空気量の調整が確実に行えず、その空気量が少ない場合には、吸着剤の再生を所定時間内で確実に行うことができないということがあり、逆に乾燥空気量が多過ぎると、その分が無駄となるから、ランニングコストの増大を招くことになる。
【０００７】
【発明が解決しようとする課題】
従来、二基の吸着筒は、使用する乾燥空気を供給するための供給流路で連通されると共に、その乾燥空気の一部を再生用として利用するための再生流路で連通されている。この再生流路の中途部にはここを流れる再生用の乾燥空気の流量を調整するニードル弁を設け、このニードル弁によって乾燥空気の使用圧力に応じて再生用の乾燥空気の流量を調整していた。
【０００８】
つまり、除湿装置を客先に納入してこの除湿装置を使用できる状態にした後、上記再生流路に再生用の乾燥空気を流し、その乾燥空気の流量をニードル弁によって調整するようにしていた。
【０００９】
ニードル弁によって再生用の乾燥空気の流量を調整する場合、ニードル弁に設けられた目盛りだけでは正確な流量調整ができないから、上記再生流路に流量計を接続し、実際の流量を測定しながらニードル弁を調整するということを行わなければならなかった。
【００１０】
そのため、流量調整に多大な手間が掛かったり、その調整に熟練を要するなどのことがある。さらには、調整後に不用意にニードル弁に手を触れて流量が変化してしまうことがあり、そのような場合にはなかなか気づかないから、再生用の空気量が少なくなった場合には吸着剤の再生が確実に行えなかったり、必要以上に多くなった場合には無駄が生じるなどのことがある。
【００１１】
本発明は、吸着剤を再生するための乾燥気体の流量を、使用する乾燥気体の圧力に応じて簡単かつ確実に設定できるようにした気体の除湿装置を提供することにある。
【００１４】
【課題を解決するための手段】
この発明は、吸着剤が収容された一対の吸着筒を有し、一方の吸着筒で気体の除湿を行い、除湿された気体の一部を他方の吸着筒に流してこの他方の吸着筒の吸着剤の再生を行う気体の除湿装置において、
架台と、
この架台上に設けられ上記一対の吸着筒の下端を支持するインレットヘッドと、
上記インレットヘッドに設けられ切換え動作によってこのインレットヘッドに形成された流路から流入する除湿されていない気体を一対の吸着筒のどちらか一方に選択的に供給して除湿すると共に他方の吸着筒の吸着剤を再生した気体を排出可能とする切換え弁と、
上記一対の吸着筒の上端に設けられどちらか一方の吸着筒で除湿された気体を流出する給出路が形成されたアウトレットヘッドと、
上記アウトレットヘッドに着脱自在に設けられどちらか一方の吸着筒で除湿された気体の一部の流量を制御して他方の吸着筒に導くオリフィス部材を具備し、
上記アウトレットヘッドには、一方の吸着筒に連通する第１の取付孔と、他方の吸着筒に連通する第２の取付孔とが形成され、各取付孔には２つで対をなす継手の一端部がそれぞれ着脱可能に取り付けられ、これら一対の継手の他端部に上記オリフィス部材の一端部と他端部とがそれぞれ着脱可能に設けられていることを特徴とする気体の除湿装置にある。
【００１５】
このような課題を解決するための手段を採用することにより、乾燥気体の使用圧力に応じ、その使用圧力に適した再生用の乾燥気体を流すオリフィス部材を設ければよいから、再生用気体の流量を容易かつ確実に設定することができる。
【００１６】
【発明の実施の形態】
以下、本発明の実施の形態を図面にもとづいて説明する。
図１乃至図６はこの発明の第１の実施の形態で、図１に、圧縮気体の除湿装置の外観を斜視図として示す。
この除湿装置は、下部側の架台１と、この架台１の一側部上に取付けられる電気部品箱２と、架台１の他側部上に取付けられる一対の吸着筒（説明の都合上、以下、図の左側吸着筒をＡ筒と呼び、図の右側吸着筒をＢ筒と呼ぶ）３，４と、これらＡ，Ｂ筒３，４の上端部に亘って載設されるアウトレットヘッド５、およびＡ，Ｂ筒下端部に亘って取付けられるここでは図示しないインレットヘッドとから構成される。
【００１７】
このアウトレットヘッド５は、複数本の支柱ボルト６…とナット７…を介して架台１に取付け固定され、よってＡ，Ｂ両筒３，４の架台１に着脱可能に固定保持されている。上記インレットヘッドは、上記架台１に取付けられる蓋板８によって遮蔽されている。
【００１８】
上記アウトレットヘッド５の一側面には、装置内で吸着乾燥した気体を所定の供給先に給出案内するための給出口９が設けられ、かつ架台１の一側面には湿った圧縮気体を装置内へ導入案内するための導入口１０が開口される。
【００１９】
また、アウトレットヘッド５の中央部には湿度インジケータ１１が設けられていて、吸着乾燥した気体と接触し、この気体が所定の相対湿度を越えた状態で変色する部材が収容されている。すなわち、湿度インジケータ１１はＡ，Ｂ両筒３，４内に収容される吸着剤の劣化の程度を検出するものである。
【００２０】
さらに、アウトレットヘッド５にはＡ，Ｂ両筒３，４上端部と互いに連通するパージ用のオリフィス部材１２が後述するごとく着脱自在に設けられている。
【００２１】
図２と、図３は、同じ吸着装置の断面を概略的に示しており、互いに作用が異なる状態である。
上記Ａ，Ｂ両筒３，４は、上下端面が開口する筒体からなっていて、上端開口部はアウトレットヘッド５下面に設けられた凹部５ａに挿嵌され、下端開口部は先に述べたインレットヘッド１５上面に設けられた凹部１５ａに挿嵌される。
【００２２】
そして、各Ａ，Ｂ筒３，４の上端開口と下端開口からそれぞれ軸方向内方へ所定間隔を存した位置に保持部材１６が設けられていて、これら保持部材１６間に吸着剤１７が充填される。吸着剤１７として、活性アルミナ、シリカゲル、ゼオライトなどが用いられる。
【００２３】
上記アウトレットヘッド５における各Ａ，Ｂ筒３，４の中央部と対向する位置に逆止弁１８Ａ，１８Ｂを収容する弁室１９が形成される。これら逆止弁１８Ａ，１８Ｂは、下部側である筒３，４内から上方への気体の流れを許容し、上部から筒３，４内への気体の流れを阻止するものである。
【００２４】
さらに、アウトレットヘッド５には、上記給出口９と、各弁室１９とを連通する供給流路となる給出路２０が設けられていて、逆止弁１８Ａ，１８Ｂを開放して弁室１９を出た気体を給出口９へ導くようになっている。なお、この給出路２０には上記湿度インジケータ１１と連通する分岐路２１が分岐して設けられている。
【００２５】
各逆支弁１８Ａ，１８Ｂは、筒３，４内から上方へ流れる気体の圧力によって開放する。そのため、上記給出路２０を経て給出口９へ流れる気体の圧力（乾燥空気の使用圧力）は上記逆支弁１８Ａ，１８Ｂの開放圧力によって設定されることになる。
【００２６】
各弁室１９の周囲でＡ，Ｂ両筒３，４が挿嵌される範囲内は凹陥形成されていて、先に説明したオリフィス部材（ここではアウトレットヘッド５に設けられるよう描いている）１２と連通するパージ室２２となっている。換言すれば、互いのパージ室２２，２２は再生流路を形成するオリフィス部材１２によって後述するごとく連通される。
【００２７】
上記給出路２０における給出口９とは反対側の端部は閉塞されていて、センサ２３が貫通して取付けられている。図２のみに示すように、上記電気部品箱２内に制御装置２５が収容されていて、上記センサ２３と電気的に接続される。このセンサ２３は、給出路２０における乾燥空気の温度と湿度を検知して、その検知信号を上記制御装置２５へ送るようになっている。制御装置２５は、センサ２３からの検知信号によって乾燥空気の露点を算出するようになっている。
【００２８】
なお、センサ２３としてこの実施の形態では、温度検出部と湿度検出部とが１つのシース内に設けられた一体型のものを示しているが、温度センサと湿度センサとが別体のものであってもよい。
【００２９】
上記インレットヘッド１５の下面には切換え手段である切換え弁２６が取付けられている。インレットヘッド１５の一側部には上記導入口１０が設けられ、他側部にはパージ弁２７とサイレンサ２８が直列に接続される。
【００３０】
上記切換え弁２６には、図の左側から右側へ第１のポートａ，第２のポートｂ，第３のポートｃ，第４のポートｄ，第５のポートｅが順次設けられていて、弁体ｆが移動することにより各ポートａ〜ｅ相互の連通切換えがなされる。
【００３１】
すなわち、図２に示す弁体ｆ位置では、第１のポートａと第２のポートｂとを連通するとともに、第３のポートｃと第４のポートｄとを連通する。また、図３に示す弁体ｆ位置では、第２のポートｂと第３のポートｃを連通するとともに、第４のポートｄと第５のポートｅとを連通する。
【００３２】
上記弁体ｆはソレノイド２６Ｓによって駆動される。このソレノイド２６Ｓは上記制御装置２５と電気的に接続されていて、後述するように駆動制御されるようになっている。
【００３３】
上記インレットヘッド１５には、導入口１０と切換え弁２６の第３のポートｃとを連通する導入路３０と、Ａ筒３の下部開口端と第２のポートｂとを連通するＡ筒連通路３１と、Ｂ筒４の下部開口端と第４のポートｄとを連通するＢ筒連通路３２と、第１のポートａと第５のポートｅとを連通する逆Ｕ字状のポート連通路３３および、このポート連通路３３の中途部から分岐して上記パージ弁２７に連通するパージ分岐路３４が設けられている。
【００３４】
上記パージ弁２７は、通常構成の電磁開閉弁であって、上記制御装置２５と電気的に接続される。パージ弁２７は、制御装置２５からの制御信号、つまり乾燥空気の露点温度に応じて開閉し、パージ分岐路３４から導かれるパージ気体の排出もしくは遮断をなす。ここから導出されるパージ気体はサイレンサ２８に導かれて消音されたあと、外部へ放出されるようになっている。
【００３５】
上記オリフィス部材１２は、図４に示すように上記アウトレットヘッド５に取り付けられている。つまり、アウトレットヘッド５には一対のパージ室２２に連通する取付孔としての一対のねじ孔４１が穿設されている。各ねじ孔４１にはそれぞれ継手４２が着脱自在にねじ込まれている。
【００３６】
上記継手４２は、図５に示すように下端面が開放し上端面が閉塞された中空状の接続ねじ４３を有する。この接続ねじ４３の中途部外周面には鍔４４が形成され、この鍔４４の下端側の外周面にはおねじ４５が形成されている。さらに、上端面には六角形状の頭部４６が形成され、この頭部４６に図示しないスパナを係合させることで、接続ねじ４３を上記ねじ孔４１にねじ込むことができるようになっている。
【００３７】
上記接続ねじ４３には接続体４７が接続されている。この接続体４７は、上記接続ねじ４３に外嵌されると共に鍔４４によって位置決めされた筒部４８と、上記オリフィス部材１２の一端部が接続保持される接続部４９とが合成樹脂によって一体成形されてなる。この接続部４９は軸線を上記筒部４８の軸線に対して直交させている。したがって、接続体４７は外観形状がほぼＬ字状をなしている。
【００３８】
上記接続ねじ４３の外周面には、一対の周回溝５１が形成され、これらの周回溝５１には上記筒部４８との気密を保持するＯリング５２が設けられている。さらに、接続ねじ４３の外周面には突条５３が全長にわたって形成され、上記筒部４８の内周面には、この筒部４８を接続ねじ４３に圧入することで、上記突条５３に係合する係合溝５４が形成されている。
【００３９】
したがって、上記接続体４７と上記接続ねじ４３とは相対的に回転可能かつ分離不能に連結されている。
上記接続体４７の接続部４９には、上記筒部４８の内部に連通する小径孔５５及びこの小径孔５５に連通した大径孔５６とが形成されている。この小径孔５５は上記接続ねじ４３の周壁に周方向に所定間隔で形成された複数の連通孔５７を介して接続ねじ４３の内部空間４３ａに連通する。なお、小径孔５５の中途部には段部５５ａが形成されている。
【００４０】
上記接続部４９小径孔５５と大径孔５６との境界部にはリング状のパッキング６０が設けられている。上記大径孔５６の開放端側からはガイド筒５８が圧入固定される。このガイド筒５８にはブッシュ５９が抜出不能に挿入されている。このブッシュ５９の先端部にはコレットチャック６１が設けられ、このコレットチャック６１は上記パッキング６０に当接している。
【００４１】
上記ブッシュ５９には上記オリフィス部材１２の端部が挿入される。このオリフィス部材１２は図６に示すように管状体からなり、その内部の中途部に形成された壁１２ａに所定径のオリフィス孔１２ｂが穿設されている。
【００４２】
上記ブッシュ５９にオリフィス部材１２の一端部を挿入すると、その一端部外周面に上記パッキング５８が当接し、先端部が小径孔５５内に位置する。それによって、オリフィス部材１２の一端部は接続体４７の接続部４９に気密な状態で着脱自在に接続されることになる。
【００４３】
オリフィス部材１２は、オリフィス孔１２ｂの寸法が異なる複数種のものが用意されている。そして、使用する乾燥空気の圧力に応じて所定径のオリフィス孔１２ｂが形成されたオリフィス部材１２が一対の継手４２によって上記アウトレットヘッド５に取り付けられている。
【００４４】
このように構成された吸着装置は、以下に述べるような作用をなす。なお、圧縮気体として圧縮空気を適用して説明する。
【００４５】
切換え弁２６の弁体ｆが図２に示す位置にあるとき、Ｂ筒４で乾燥工程をなし、Ａ筒３で昇圧工程もしくは再生工程をなす。
すなわち、除湿装置へ供給される湿った圧縮空気は、インレットヘッド１５の導入口１０から導入路３０を介して切換え弁２６の第３のポートｃに導かれ、さらに第４のポートｄを介してＢ筒連通路３２からＢ筒４内へ導かれる。
【００４６】
湿った圧縮空気がＢ筒４内を下部から上部に亘って通過する間に、ここに充填される吸着剤１７によって吸着除湿して乾燥化する、乾燥工程が行われる。そして、この上部に設けられた逆止弁１８Ｂを押し上げてアウトレットヘッド５の給出路２０に導かれ、さらに給出口９から所定の供給先に給出される。
【００４７】
また、Ｂ筒４上端開口部から出た乾燥空気の一部はパージ室２２に導かれ、さらにオリフィス部材１２によって流量を絞られ、Ａ筒３上部のパージ室２２を介してＡ筒３内に案内される。そして、Ａ筒３内に充填される吸着剤１７を通過して、前段階の乾燥工程において吸着剤１７が吸着した湿分を除去する。
【００４８】
この湿分を除去した空気であるパージ空気は、Ａ筒連通路３１から第２のポートｂを介して第１のポートａから導出され、ポート連通路３３に導かれる。第５のポートｅが閉塞状態にあるところから、パージ空気はポート連通路３３からパージ分岐路３４に導かれる。
【００４９】
パージ弁２７が閉成状態にあるとき、パージ空気はここで遮断され、したがってＡ筒３内が圧力上昇する昇圧工程となる。パージ弁２７が開放状態にあるとき、パージ空気はパージ弁２７を通過してサイレンサ２８に導かれ、ここで消音されてから外部へ放出される再生工程となる。
【００５０】
切換え弁２６の弁体ｆが図３に示す位置にあるとき、Ａ筒３で乾燥工程をなし、Ｂ筒４で昇圧工程もしくは再生工程をなす。
すなわち、除湿装置へ供給される湿った圧縮空気は、インレットヘッド１５の導入口１０から導入路３０を介して切換え弁２６の第３のポートｃに導かれ、さらに第２のポートｂを介してＡ筒連通路３１からＡ筒３内へ導かれる。
【００５１】
湿った圧縮空気がＡ筒３内を下部から上部に亘って通過する間に、ここに充填された吸着剤１７によって吸着除湿され乾燥化する乾燥工程となる。そして、上部に設けられる逆止弁１８Ａを押し上げてアウトレットヘッド５の給出路２０に導かれ、さらに給出口９から所定の供給先に給出される。
【００５２】
また、Ａ筒３上端開口部から導出される乾燥空気の一部はパージ室２２に導かれ、オリフィス部材１２によって流量を絞られて、Ｂ筒４上部のパージ室２２を介してＢ筒４内に案内される。
【００５３】
この乾燥空気はＢ筒４内に充填される吸着剤１７を通過して、前段階の乾燥工程において吸着剤１７が吸着した湿分を除去する。この湿分を除去した空気であるパージ空気は、Ｂ筒連通路３２から第４のポートｄを介して第５のポートｅから導出され、さらにポート連通路３３に導かれる。
【００５４】
第１のポートａが閉塞状態にあるところから、パージ空気はポート連通路３３からパージ分岐路３４に導かれる。パージ弁２７が閉成状態にあるとき、パージ空気はここで遮断され、Ｂ筒４内が圧力上昇する昇圧工程となす。パージ弁２７が開放状態にあるとき、パージ空気はパージ弁２７を通過してサイレンサ２８に導かれ、ここで消音されてから外部へ放出される再生工程となす。
【００５５】
吸着剤１７を再生するためのパージ空気の流量を制御するオリフィス部材１２は、一対の継手４２によって両端部が着脱自在に保持されており、この継手４２はアウトレットヘッド５に形成されたねじ孔４１に着脱自在に取り付けられている。
【００５６】
そのため、パージ空気量を、乾燥空気の使用圧力に応じて調整する場合には、一対の継手４２をアウトレットヘッド５から取り外した状態で、所定径のオリフィス孔１２ｂが形成されたオリフィス部材１２の一端部と他端部とを一対の継手４２の接続部４９に挿入し、これらを一体化する。
【００５７】
一体化された状態で、継手４２の接続ねじ４３をアウトレッドヘッド５のねじ孔４１にねじ込めば、乾燥空気の使用圧力に応じたオリフィス部材１２を組み付けることができる。
【００５８】
つまり、除湿装置を出荷する際、予め設定された使用条件、つまり乾燥空気の使用圧力に応じたオリフィス部材１２を組み込んでおけば、従来のように納入先でパージ空気量を調整する作業を行わずにすむ。
【００５９】
しかも、オリフィス部材１２は継手４２を介してアウトレットヘッド５に着脱自在に取り付けられる構造である。そのため、オリフィス孔１２ｂの大きさが異なる複数のオリフィス部材１２を用意しておくことで、使用圧力に応じたオリフィス部材１２に交換することができる。
【００６０】
図７と図８はオリフィス部材の変形例を示す。図７に示す第２の実施の形態のオリフィス部材１２Ａは、管状体の中途部を縮径することで所定径のオリフィス孔１２ｂを形成すると共に、両端部には管状体を拡径してフレアナット６１を回転自在かつ脱落不能に取り付ける。
【００６１】
そして、上記フレアナット６１を継手４２Ａの接続体４７Ａに形成されたおねじ部６２に螺合することで、上記オリフィス部材１２Ａを継手４２Ａに対して着脱自在に設けるようにした。
【００６２】
なお、継手４２Ａは、上記第１の実施の形態と同様、アウトレッドヘッド５に着脱自在に設けるようにしてもよいが、着脱自在に設けられていなくとも、フレアナット６１をおねじ６２から外すことで、一対の継手４２Ａからオリフィス部材１２Ａを取り外すことができる。
【００６３】
図８に示す第３の実施の形態は、オリフィス部材１２Ｃを一対の管体６３Ａ，６３Ｂに分割し、これら管体をユニオン継手６４で分解可能に連結した。ユニオン継手６４は、一方の管体６３Ａの端部に鍔６５を形成し、この端部にユニオンナット６６を回転自在に設けると共に、他方の管体６３Ｂの端部に上記ユニオンナット６６が螺合するおねじ６７を形成した。
【００６４】
そして、上記鍔６５とおねじ６７との接合面間に所定径のオリフィス孔６８ａが穿設されたオリフィス板６８を設けるようにした。
【００６５】
このような構成によれば、乾燥空気の使用圧力に応じてオリフィス孔６８ａの大きさが異なるオリフィス板６８に交換することで、再生用の乾燥空気の流量を設定することができる。
【００６６】
なお、この第３の実施の形態において、オリフィス部材１２Ｃの各管体６３Ａ，６３Ｂは、継手４２を介してアウトレットヘッド５に着脱自在あるいは固定的に取り付けられるようになっている。
【００６７】
なお、上記一実施の形態では一対の吸着筒として二基の吸着筒が設けられる場合について説明したが、この発明で一対とは吸着側と再生側となる吸着筒がそれぞれ１以上あればよく、たとえば吸着側となる吸着筒が２つ以上、同じく再生側となる吸着筒が２つ以上であってもよい。
【００６８】
【発明の効果】
以上説明したように本発明によれば、乾燥気体の使用圧力に応じてこの乾燥気体の一部を吸着剤を再生する再生気体として流すようにした除湿装置において、再生気体の流路に、その流量を制御するオリフィス部材を着脱自在に設けるようにした。
【００６９】
そのため、乾燥気体の使用圧力に応じて所定の流量が得られるオリフィス部材を設けることで、再生用の気体の流量を正確に設定することが可能であるから、その設定を容易に、しかも確実に行うことが可能となる。
【００７０】
しかも、流量の異なるオリフィス部材を用意しておくことで、使用圧力が異なる場合にも迅速に対応することができ、さらにはニードル弁を用いた従来のように設定された流量が不用意に変更されるということもないなどの利点を有する。
【図面の簡単な説明】
【図１】本発明の第１の実施の形態を示す、除湿装置の外観斜視図。
【図２】同実施の形態を示す、除湿装置の概略の断面図。
【図３】同実施の形態を示す、一対の吸着筒の除湿運転と再生運転とを切り替えた状態の除湿装置の概略の断面図。
【図４】同じくオリフィス部材の取付構造を示す側面図。
【図５】同じくオリフィス部材の端部を保持する継手の断面図。
【図６】同じくオリフィス部材の一部断面した側面図。
【図７】この発明の第２の実施の形態を示す、オリフィス部材の断面図。
【図８】この発明の第３の実施の形態を示す、オリフィス部材の断面図。
【符号の説明】
１…架台
５…アウトレットヘッド
１２オリフィス部材
１７…吸着剤
３…吸着筒（Ａ筒）
４…吸着筒（Ｂ筒）
２６…切換え弁（切換え手段）
４１…ねじ孔（取付孔）
４２…継手
【図１】
0004256535.tif 000002
【図２】
0004256535.tif 000003
【図３】
0004256535.tif 000004
【図４】
0004256535.tif 000005
【図５】
0004256535.tif 000006
【図６】
0004256535.tif 000007
【図７】
0004256535.tif 000008
【図８】
0004256535.tif 000009